(57)【特許請求の範囲】
【請求項１】
複数のメールフォルダに格納されたメールに対応したメール情報を前記メールフォルダの表示配列順に対応させて移動体端末の表示画面上に表示するメール管理システムであって、
時間帯に対応した時間情報および位置領域に対応した位置情報を含む属性判定情報が、前記メールフォルダに対応付けて記憶される属性判定情報記憶部と、
前記移動体端末の現在位置および現在時刻に対応する属性情報および前記属性判定情報とに基づき、メールフォルダの表示配列を決める表示配列設定部と、を具備した
ことを特徴とするメール管理システム。
【請求項２】
請求項１記載のメール管理システムにおいて、
前記表示配列設定部によって決められたメールフォルダの表示配列に基づき、メールフォルダの表示配列を変更する表示配列変更部を具備した
ことを特徴とするメール管理システム。
【請求項３】
請求項２記載のメール管理システムにおいて、
前記表示配列設定部をメールを配信するメール管理センタに備え、
前記表示配列変更部を前記移動体端末に備えた
ことを特徴とするメール管理システム。
【請求項４】
請求項２記載のメール管理システムにおいて、
前記表示配列設定部および前記表示配列変更部を前記移動体端末に備えた
ことを特徴とするメール管理システム。
【請求項５】
請求項２記載のメール管理システムにおいて、
前記表示配列設定部および前記表示配列変更部をメールを配信するメール管理センタに備えた
ことを特徴とするメール管理システム。
【請求項６】
請求項１記載のメール管理システムにおいて、
前記属性判定情報記憶部は、メールを配信するメール管理センタに備えた
ことを特徴とするメール管理システム。
【請求項７】
請求項１記載のメール管理システムにおいて、
前記属性判定情報記憶部は、前記移動体端末に備えた
ことを特徴とするメール管理システム。
【請求項８】
請求項１記載のメール管理システムにおいて、
前記移動体端末は、
前記表示配列設定部で決められたメールフォルダの表示配列順にこのメールフォルダに格納されたメール毎に対応した送信者情報或いは件名を含む複数のメール項目からなるメール情報のうち、ユーザが選択したメール項目をリスト表示する
ことを特徴とするメール管理システム。
【請求項９】
請求項１〜８記載のメール管理システムにおいて、
前記移動体端末には、当該移動体端末の現在位置を測定する位置測定部を備えた
ことを特徴とするメール管理システム。
【請求項１０】
請求項１〜８記載のメール管理システムにおいて、
前記移動体端末の現在位置は、外部の位置測定部によって測定される
ことを特徴とするメール管理システム。
【請求項１１】
複数のメールフォルダに格納されたメールに対応したメール情報を前記メールフォルダの表示配列順に対応させて移動体端末の表示画面上に表示するメール管理システムの制御方法であって、
時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、を備えた
ことを特徴とするメール管理システムの制御方法。
【請求項１２】
請求項１１記載のメール管理システムの制御方法において、
前記メールフォルダの表示配列を決めるステップによって決められたメールフォルダの表示配列に基づき、メールフォルダの表示配列を変更するステップを備えた
ことを特徴とするメール管理システムの制御方法。
【請求項１３】
複数のメールフォルダに格納されたメールに対応したメール情報が前記メールフォルダの表示配列順に対応させて表示される移動体端末であって、
時間帯に対応した時間情報および位置領域に対応した位置情報を含む属性判定情報が、前記メールフォルダに対応付けて記憶される属性判定情報記憶部と、
当該移動体端末の現在位置および現在時刻に対応する属性情報および前記属性判定情報とに基づき、メールフォルダの表示配列を決める表示配列設定部と、を具備した
ことを特徴とする移動体端末。
【請求項１４】
請求項１３記載の移動体端末において、
前記表示配列設定部によって決められたメールフォルダの表示配列に基づき、メールフォルダの表示配列を変更する表示配列変更部を具備した
ことを特徴とする移動体端末。
【請求項１５】
複数のメールフォルダに格納されたメールに対応したメール情報が前記メールフォルダの表示配列順に対応させて表示される移動体端末であって、
時間帯に対応した時間情報および位置領域に対応した位置情報を含む属性判定情報を、前記メールフォルダに対応付けて、メールを配信するメール管理センタに記憶されるべく、これらの情報を送信する属性判定情報送信部と、
前記メール管理サーバにより前記メールフォルダの表示配列が決められ、この決められた表示配列に基づき、メールフォルダの表示配列を変更する表示配列変更部と、を具備した
ことを特徴とする移動体端末。
【請求項１６】
複数のメールフォルダに格納されたメールに対応したメール情報が前記メールフォルダの表示配列順に対応させて表示される移動体端末に対し、表示配列の管理を行うメール管理センタであって、
時間帯に対応した時間情報および位置領域に対応した位置情報を含む属性判定情報が、前記メールフォルダに対応付けて記憶される属性判定情報記憶部と、
前記移動体端末の現在位置および現在時刻に対応する属性情報および前記属性判定情報とに基づき、メールフォルダの表示配列を決める表示配列設定部と、を具備した
ことを特徴とするメール管理センタ。
【請求項１７】
請求項１６記載のメール管理センタにおいて、
前記表示配列設定部によって決められたメールフォルダの表示配列に基づき、メールフォルダの表示配列を変更する表示配列変更部を具備した
ことを特徴とするメール管理センタ。
【請求項１８】
複数のメールフォルダに格納されたメールに対応したメール情報を前記メールフォルダの表示配列順に対応させて移動体端末の表示画面上に表示するメール管理システムを制御するプログラムであって、
コンピュータを、時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、して実現させるプログラム。
【請求項１９】
複数のメールフォルダに格納されたメールに対応したメール情報を前記メールフォルダの表示配列順に対応させて移動体端末の表示画面上に表示するメール管理システムを制御するプログラムを記録した記録媒体であって、
コンピュータを、時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、して実現させるプログラムを記録した記録媒体。
【発明の詳細な説明】
【０００１】
【発明の属する技術分野】
本発明は、携帯電話等の移動体端末に対して配信されるメールを表示させるための技術に関する。
【０００２】
【従来の技術】
携帯電話やＰＨＳ（personal handyphone system）といった移動体端末に対しては、種々の情報を無線によって配信する情報配信サービスが普及している。特に、電子メール（以下、メールという）による通信は、広く普及している。
【０００３】
【発明が解決しようとする課題】
ところで、携帯電話に配信されたメールの管理は、ユーザによって指定された仕事、プライベートといったカテゴリ毎にメールフォルダが作成され、このメールフォルダ毎にメールを格納することにより行っていた。この管理は、ユーザがメールフォルダ毎に送信者のメールアドレス、件名のキーワード、或いはメール本文中のキーワード等を予め登録しておき、配信されたメール中の送信者のメールアドレス、件名中のキーワード、或いはメール本文中のキーワード等を参照してメールフォルダ毎に分配して格納する、といった動作を携帯電話が自動的に行うものであった。
【０００４】
また、携帯電話の表示部にメールを表示する際、このメールフォルダ毎に格納されたメールの送信者（メールアドレス）、件名、送信日時等のメール項目からなるメール情報をメールフォルダの表示配列順にリスト表示するようになっていた。即ち、仕事フォルダ、プライベートフォルダといった順序でメールフォルダの表示配列が決まっていた場合には、仕事フォルダに格納されたメールに対応したメールリストの後にプライベートフォルダに格納されたメールに対応したメールリストが表示されるといった具合になっていた。
【０００５】
このため、ユーザが仕事中にメールを閲覧する場合には、このメールフォルダの表示配列順に表示されることは好都合であった。しかし、ユーザがプライベートのメールを閲覧する場合には、その都度メールフォルダのメニューに戻ってプライベートフォルダを開いて閲覧するか、仕事フォルダに格納されたメールをスクロールすることによって検索して閲覧する等の操作を行う必要があり、その都度、ユーザは煩わしい操作を行わなくてはならなかった。
【０００６】
本発明は、以上の問題に鑑みてなされたものであり、ユーザの状況（現在位置、現在時刻）に応じたメール表示を行うことのできるメール管理システム、この制御方法、移動体端末、メール管理センタ、プログラムおよび記録媒体を提供することを目的とする。
【０００７】
【課題を解決するための手段】
上述した課題を解決するために、本発明に係るメール管理システムは、複数のメールフォルダに格納されたメールに対応したメール情報を前記メールフォルダの表示配列順に対応させて移動体端末の表示画面上に表示するメール管理システムであって、
時間帯に対応した時間情報および位置領域に対応した位置情報を含む属性判定情報が、前記メールフォルダに対応付けて記憶される属性判定情報記憶部と、
前記移動体端末の現在位置および現在時刻に対応する属性情報および前記属性判定情報とに基づき、メールフォルダの表示配列を決める表示配列設定部と、を具備したことを特徴とする。
【０００８】
本発明に係るメール管理システムの制御方法は、複数のメールフォルダに格納されたメールに対応したメール情報を前記メールフォルダの表示配列順に対応させて移動体端末の表示画面上に表示するメール管理システムの制御方法であって、
時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、を備えたことを特徴とする。
【０００９】
このように構成することにより、まず、ユーザは、時間帯に対応した時間情報および位置領域に対応した位置情報を含む属性判定情報を、前記メールフォルダに対応付けて設定する。これにより、これらのメールフォルダに対応した属性判定情報が記憶される。そして、このシステムでは、移動体端末の現在位置および現在時刻に対応する属性情報と属性判定情報とに基づき、メールフォルダの表示配列を決める。
これにより、例えばユーザが仕事中である場合には、仕事に関連したメールフォルダを表示配列の上位に、プライベートに関連したプライベートフォルダを表示配列の下位に位置させることが可能となる。
【００１０】
本発明に係る移動体端末は、複数のメールフォルダに格納されたメールに対応したメール情報が前記メールフォルダの表示配列順に対応させて表示される移動体端末であって、
時間帯に対応した時間情報および位置領域に対応した位置情報を含む属性判定情報が、前記メールフォルダに対応付けて記憶される属性判定情報記憶部と、
当該移動体端末の現在位置および現在時刻に対応する属性情報および前記属性判定情報とに基づき、メールフォルダの表示配列を決める表示配列設定部と、を具備したことを特徴とする。
【００１１】
本発明に係る移動体端末の別の形態は、複数のメールフォルダに格納されたメールに対応したメール情報が前記メールフォルダの表示配列順に対応させて表示される移動体端末であって、
時間帯に対応した時間情報および位置領域に対応した位置情報を含む属性判定情報を、前記メールフォルダに対応付けて、メールを配信するメール管理センタに記憶されるべく、これらの情報を送信する属性判定情報送信部と、
前記メール管理サーバにより前記メールフォルダの表示配列が決められ、この決められた表示配列に基づき、メールフォルダの表示配列を変更する表示配列変更部と、を具備したことを特徴とする。
【００１２】
本発明によるメール管理センタは、複数のメールフォルダに格納されたメールに対応したメール情報が前記メールフォルダの表示配列順に対応させて表示される移動体端末に対し、表示配列の管理を行うメール管理センタであって、
時間帯に対応した時間情報および位置領域に対応した位置情報を含む属性判定情報が、前記メールフォルダに対応付けて記憶される属性判定情報記憶部と、
前記移動体端末の現在位置および現在時刻に対応する属性情報および前記属性判定情報とに基づき、メールフォルダの表示配列を決める表示配列設定部と、を具備したことを特徴とする。
【００１３】
本発明によるプログラムは、複数のメールフォルダに格納されたメールに対応したメール情報を前記メールフォルダの表示配列順に対応させて移動体端末の表示画面上に表示するメール管理システムを制御するプログラムであって、
コンピュータを、時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、して機能させる。
【００１４】
本発明による記録媒体は、複数のメールフォルダに格納されたメールに対応したメール情報を前記メールフォルダの表示配列順に対応させて移動体端末の表示画面上に表示するメール管理システムを制御するプログラムを記録した記録媒体であって、
コンピュータを、時間帯に対応した時間情報および位置領域に対応した位置情報を含む属性判定情報が、前記メールフォルダに対応付けて記憶されるステップと、
前記移動体端末の現在位置および現在時刻に対応する属性情報および前記属性判定情報とに基づき、メールフォルダの表示配列を決めるステップと、して機能させるプログラムを記録したことにある。
【００１５】
【発明の実施の形態】
次に、本発明の好適な実施形態について図面を参照しながら説明する。
【００１６】
［１］ 第１実施形態
［１・１］  第１実施形態の大略構成
図１は、本発明の第１実施形態によるメール管理システムの構成図である。
このシステムは、ユーザが携帯する携帯電話（移動体端末）１０と、ネットワーク（移動体通信網）１００を介して接続されるメール管理センタ５０とによって大略構成される。
【００１７】
［１・２］  携帯電話（移動体端末）１０の構成
携帯電話１０は、交換局、基地局（いずれも図示せず）を介して、ネットワーク１００に接続される。
携帯電話１０の外形は、図２に示すように、携帯電話本体１１、アンテナ１２、キーパッドからなる操作部１３および表示部１４を具備して構成されている。
また、携帯電話１０は、図３に示すように、ＣＰＵ(Central Processing Unit)１５と、ＲＡＭ(Random Access Memory)１６と、ＲＯＭ(Read Only Memory)１７と、通話部１８と、送受信部１９と、ＧＰＳ信号受信部２０と、操作部１３と、表示部１４と、これらを相互に接続するバス２１とを具備している。
【００１８】
ＲＯＭ１７には、通常の携帯電話１０として機能する会話モードに必要な処理プログラムに加えて、本実施形態ではメール管理センタ５０との間でデータの授受をパケット通信によって行う処理プログラム、ＧＰＳ受信部２０にて受信されたＧＰＳ信号に基づいて携帯電話１０の現在位置を測定するための処理プログラム等が格納されている。ＣＰＵ１５はＲＯＭ１７に格納された処理プログラムに基づき、各部の制御を司るものである。ＲＡＭ１６には、携帯電話１０の加入者番号（自己ＩＤ）およびメールアドレスが記憶されると共に、配信されたメールが格納される複数のメールフォルダを備えている。
【００１９】
表示部１４は、携帯電話本体１１の表面に設けられた例えば液晶表示装置からなり、通常の携帯電話１０として使用する場合には、例えば時刻表示、電話番号表示、各種設定表示、さらにメール等の表示を行う。操作部１３は、入力部として設けられたものであり、ユーザがこの操作部１３を操作することにより、各種設定を行う。さらに操作部１３のうち、図２に示すメールボタン１３Ａをユーザが押圧することにより、ＣＰＵ１５は、ＲＡＭ１７に格納されたメール処理プログラムを読出してこの処理プログラムに基づき、メール管理センタ５０に対してメール送信要求を発信する動作と、ＲＡＭ１６の各メールフォルダに格納されたメール情報を表示部１４に表示する動作とを行う。
【００２０】
また、ＧＰＳ信号受信部２０は、２４個のＧＰＳ衛星（図示せず）のうち、少なくとも３個以上の衛星から送信される電波を、ＧＰＳ信号として受信する。そして、ＣＰＵ１５は、ＲＯＭ１７に格納された処理プログラムを実行することにより、このＧＰＳ信号受信部２０で受信された信号に基づいて、携帯電話１０の現在位置を緯度、経度の座標とした位置データとして測定する。
【００２１】
ここで、メールフォルダの構成について説明する。
メールフォルダは、ユーザが予め指定した仕事、プライベート等のカテゴリ毎に作成され、例えば、図４に示すように、仕事フォルダ１、仕事フォルダ２、プライベートフォルダ１、プライベートフォルダ２といった具合に分けられ、各メールフォルダ内には、それぞれ対応するカテゴリに属する受信メールが格納される。
この処理は、受信されたメールを各メールフォルダ毎に格納する場合には、予めユーザが設定したメールルールに従って行われることになる。例えば、メールルールを「送信者のメールアドレスに基づき、指定したメールフォルダにこのメールを格納する」とした場合には、図５に示すように、メールフォルダ毎に送信者のメールアドレスを登録しておけばよい。なお、メールルールは、メールの格納を、この送信者のメールアドレスに基づいて行う他に、「件名に指定した言葉が含まれる場合」、「メール本文に指定した言葉が含まれる場合」等、種々の格納条件が設定可能である。
【００２２】
また、後述する表示配列データに基づいて、メールフォルダ毎に格納されたメールのメール情報（送信者のメールアドレス、件名、送信日時等）がメールフォルダの表示配列順に携帯電話１０の表示部１４にリスト表示されるようになっている。即ち、仕事フォルダ１、プライベートフォルダ１といった順でメールフォルダの表示配列が決まっていた場合には、表示部１４に仕事フォルダ１に格納されたメールに対応したメール情報のリストの後にプライベートフォルダ１に格納されたメールに対応したメール情報のリストが表示されるといった具合になっていた。
また、表示部１４の表示は、メール情報のリスト表示のみに限らず、表示配列順にメールフォルダ名を表示するようにしてもよい。
【００２３】
［１・３］  メール管理センタ５０の構成
図６は、メール管理センタ５０およびシステムの全体を示した機能ブロック図である。
メール管理センタ５０は、データ送受信部および制御部を備えた管理サーバ５１と、メールＤＢ５３を有するメールサーバ５２と、属性処理サーバ５４と、によって大略構成されている。また、メール管理センタ５０および各サーバには、それぞれＩＰアドレスが割り当てられている。
【００２４】
管理サーバ５１は、Ｗｅｂサーバ或いはアプリケーションサーバの機能を備えるものである。この管理サーバ５１は、ネットワーク１００、交換局および基地局を介して接続される携帯電話１０との間で、無線通信によるデータの授受を行うと共に、他のサーバ５２、５４の動作を制御する機能を有する。
また、管理サーバ５１は、受信された携帯電話１０からの送信メールをメールサーバ５２に送信すると共に、携帯電話１０からのメール要求を受けた場合にメールサーバ５２に対してメール読出しを要求し、読出されたメールを受信する。また、管理サーバ５１は、後述する属性情報に対応した属性データを属性処理サーバ５４に送信すると共に、属性処理サーバ５４から送信される表示配列データをメール毎に受信する。
そして、管理サーバ５１は、メールサーバ５２から携帯電話１０に送信されるメールのヘッダに、属性処理サーバ５４から送信される表示配列データを格納した上で、このメール（メール群）をメール要求のあった携帯電話１０に送信する。
【００２５】
メールサーバ５２は、メールＤＢ５３に送信されたメールを宛先メールアドレス毎に対応したメールボックスに整理して格納する。
また、メールサーバ５２は、管理サーバ５１からの携帯電話１０に対応するメール要求を受けた場合には、メールＤＢ５３に対し、携帯電話１０のメールアドレスに対応した宛先メールアドレスのメールボックスを検索し、メールボックスに格納された送信メールを読出し、管理サーバ５１に送信する。
【００２６】
また、属性処理サーバ５４は、携帯電話１０からメール要求があった場合に、管理サーバ５１から送信される属性データに対応した属性情報と、属性判定情報とを比較することにより表示配列データを生成し、この表示配列データを管理サーバ５１に送信する。この場合に、属性処理サーバ５４の記憶部には、後述するメールフォルダ属性設定処理により、携帯電話１０（メールアドレス）の各メールフォルダに対応した属性判定情報が予め登録されている。
また、この表示配列データの生成処理についても後述するものとする。
【００２７】
さらに、位置情報サーバ５５は、ネットワーク１００に接続されるもので、携帯電話１０がＧＰＳ信号受信部２０等のように、携帯電話１０自らが自己の位置を測定する機能を備えていない場合、携帯電話１０が存在する通信エリアの基地局から携帯電話１０の現在位置を算出するものである。なお、この位置情報サーバ５５はメール管理センタ５０に設けるようにしてもよい。
【００２８】
［１・４］  メール管理システムの動作
まず、本実施形態によるメール管理システムの動作を説明する前に、属性データ（属性情報）について説明する。
この属性データは、携帯電話１０の現在位置および現在時刻によって生成されるものである。この属性データは、ユーザの現在の状況、即ち仕事中であるかプライベートであるかといった属性を判定するためのデータとなるものである。
【００２９】
また、表示配列データは、携帯電話１０の表示部１４に表示されるメールフォルダの表示配列を決めるデータである。この表示配列データは、メール管理センタ５０の属性処理サーバ５４により、予め登録されたメールフォルダ毎の属性判定情報（属性判定データ）と、送信された現在位置および現在時刻を示した属性情報（属性データ）とを比較することにより生成される。
【００３０】
次に、メールフォルダ属性設定処理について、図７ないし図９に基づいて説明する。図７はその処理を示すフローチャート、図８は携帯電話１０の表示部１４に表示される設定画面、図９は属性処理サーバ５４に登録されたメールフォルダ毎に割り当てられた属性判定情報をそれぞれ示している。
ここでは、携帯電話１０によって設定された属性判定情報に対応したデータをメール管理センタ５０に送信するまでの処理を説明する。
まず、ユーザの携帯電話１０には、前述した如く、配信されたメールをカテゴリ毎に分けて格納するメールフォルダ（例えば、仕事フォルダ１、仕事フォルダ２、プライベートフォルダ１、プライベートフォルダ２）が作成されている。
ユーザが操作部１３を予め決められた所定動作させることにより、ＣＰＵ１５は処理プログラムに準じて、図８に示すような設定画面を表示部１４に表示する（ステップＳａ１）。
【００３１】
ユーザが設定画面に沿って操作部１３を操作することにより、ＣＰＵ１５は予め作成されたメールフォルダを選択する（ステップＳａ２）。さらに、ユーザが設定画面の指定位置、指定位置からの半径の距離、指定時間、指定曜日、指定条件を順次操作部１３によって設定することにより、ＣＰＵ１５はこの情報を読込み（ステップＳａ３）、これらの情報を属性判定情報として生成し、メールフォルダに対応した属性判定情報（データ）をＲＡＭ１６に記憶させる（ステップＳａ４）。
なお、指定位置を入力する場合には、ユーザがその指定位置に居る場合には、携帯電話１０のＧＰＳ信号受信部２０で受信したＧＰＳ信号に基づいた位置測定、或いは位置情報サーバ５５による位置測定を利用するようにしてもよい。
１つのメールフォルダに対応した属性判定情報に対応したデータが入力されると、ＣＰＵ１５は表示部１４に次のメールフォルダに対応した属性判定情報を入力するか否かの画面を表示し、ユーザに判断を促す（ステップＳａ５）。
【００３２】
他にも属性判定情報を設定するメールフォルダが残っている場合には（ステップＳａ５；ＮＯ）、ステップＳａ２に戻り、他のメールフォルダを選択し、ステップＳａ２〜ステップＳａ５の処理を繰り返し、他のメールフォルダに対応した属性判定情報（データ）をＲＡＭ１６に記憶する。
そして、メールフォルダに対する属性判定情報が設定された場合には（ステップＳａ５；ＹＥＳ）、ＲＡＭ１６に記憶されたメールフォルダに対応した属性判定データをメール管理センタ５０に送信する（ステップＳａ６）。
このデータをパケット方式の信号で送信する際には、パケットのヘッダにはメール管理センタ５０のＩＰアドレス、パケット名（メールフォルダおよび属性判定データ）、送信者のメールアドレス（携帯電話１０）等が格納され、ペイロードにはフォルダ名と、このフォルダに対応した属性判定データとが格納されることになる。
【００３３】
そして、メール管理センタ５０では、この信号を属性処理サーバ５４に送信する。属性処理サーバ５４は、携帯電話１０からの信号を受けて、記憶部に携帯電話１０毎に宛先メールアドレス、フォルダ、属性判定データを記憶させる。即ち、記憶部には、各携帯電話のアドレス毎に各自で設定されたメールフォルダが記憶され、その各メールフォルダ毎に属性判定データが記憶されることになる。
【００３４】
ある携帯電話１０に対して、メールフォルダに対する属性判定情報は、図９に示すように、属性処理サーバ５４の記憶部に記憶されることになる。
即ち、図９は、仕事フォルダ１に対応した属性判定情報は、時間情報が「月曜日〜金曜日の9:00〜17:00」、位置情報が「松本市芳川村井町」で、両情報を満たすことを要求する（ａｎｄ条件）となる。仕事フォルダ２に対応した属性判定情報は、時間情報が「月曜日〜金曜日の9:00〜17:00」、位置情報が「塩尻市広丘野村」で、両情報を満たすことを要求する（ａｎｄ条件）となる。プライベートフォルダ１に対応した属性判定情報は、時間情報が「土曜日、日曜日の17:00〜23:00」、位置情報が「塩尻市広丘堅石」で、何れか一方の情報を満たすことを要求する（ｏｒ条件）となる。プライベートフォルダ２に対応した属性判定情報は、時間情報が「土曜日、日曜日の17:00〜23:00」、位置情報が「塩尻市広丘堅石」で、両情報を満たすことを要求する（ａｎｄ条件）となる。
【００３５】
ここで、属性判定情報のａｎｄ条件、ｏｒ条件について説明する。
ａｎｄ条件の属性判定情報においては、ある属性情報（現在位置および現在時刻）と比較する場合、両方の情報を満足した場合にのみ、その属性であることが予想される。即ち、仕事フォルダ１、仕事フォルダ２、プライベートフォルダ２においては、両方の情報を満足した場合のみ、リストの上位にメールを表示すべきフォルダであるとみなす。
ｏｒ条件の属性判定情報においては、ある属性情報（現在位置および現在時刻時）と比較する場合、少なくとも何れか一方の情報を満足した場合、その属性であることが予想される。即ち、プライベートフォルダ１においては、少なくとも何れか一方の情報を満足した場合に、リストの上位にメールを表示すべきフォルダであるとみなす。
【００３６】
次に、図１０ないし図１４に基づき、メール管理システムの動作について説明する。図１０はメール管理の動作を示すシーケンスチャート、図１１、図１２はメール管理センタ５０で送受信されるメールのデータフォーマット、図１３、図１４はある属性情報に基づいたメールフォルダの表示配列を示した例をそれぞれ示したものである。
この処理動作においては、データの送受信をパケット交換によって行うものとする。
【００３７】
まず、送信メールをメール管理センタ５０に格納する場合の処理について述べる。
携帯電話１０´のユーザは、携帯電話１０´の操作部１３で所定操作を行うことによって生成された送信メールを、メール管理センタ５０に送信する（ステップＳｂ１）。この送信メールのデータフォーマットは、図１１に示すようになり、パケットのメールヘッダには、宛先（メール管理センタ５０、携帯電話１０）、送信者（携帯電話１０´）のメールアドレス、件名、送信日時が格納され、ペイロードにはメール本文が格納されることになる。
管理サーバ５１は、受信した送信メールをメールサーバ５２に送信する（ステップＳｂ２）。メールサーバ５２は、この送信メールをメールＤｂ５３の宛先メールアドレス毎に分けたメールボックスに格納する（ステップＳｂ３）。
【００３８】
次に、送信メールをメール管理センタ５０から読出す場合の処理について述べる。
まず、携帯電話１０のユーザは、メール管理センタ５０からメールの配信を要求するために、接続要求を行う（ステップＳｂ４）。この際、ＣＰＵ１５は、ユーザが携帯電話１０の操作部１３のメールボタン１３Ａを押圧することにより、接続要求を送受信部１９およびネットワーク１００を介してメール管理センタ５０に対して行う。接続要求はパケット形式の信号であるため、ヘッダには宛先としてメール管理センタ５０或いは管理サーバ５１のＩＰアドレスおよび送信者として携帯電話１０のメールアドレスが格納される。
【００３９】
管理サーバ５１は、携帯電話１０からの接続要求を受け、この携帯電話１０に対して接続応答を行い、携帯電話１０とメール管理センタ５０との間に回線が確立される（ステップＳｂ５）。
送信される接続応答のペイロードには、ＧＰＳ信号受信部２０に対して携帯電話１０の現在位置を測定させる位置測定開始データが格納されている。
【００４０】
次に、携帯電話１０のＣＰＵ１５は、接続応答のペイロードに格納された位置測定開始データによって、ＧＰＳ信号受信部２０を動作させ、ＧＰＳ信号受信部２０から送信されるＧＰＳ信号に基づき、携帯電話１０の現在位置に対応した位置データを測定する（ステップＳｂ６）。
その後、携帯電話１０のＣＰＵ１５は、メール要求をメール管理センタ５０に対して行う（ステップＳｂ７）。このメール要求のヘッダには、宛先として管理サーバ５１のＩＰアドレスおよび送信者として携帯電話１０のメールアドレスが格納され、ペイロードには、現在位置および現在時刻からなる属性データが格納される。
【００４１】
管理サーバ５１は、メール要求を受け、同じくメール要求をメールサーバ５２に送信する（ステップＳｂ８）。このメール要求のヘッダには、宛先としてメールサーバ５２のＩＰアドレスおよび送信者として管理サーバ５１のＩＰアドレスが格納され、ペイロードには、携帯電話１０のメールアドレスが格納される。なお、このメールアドレスは、ヘッダに格納するようにしてもよい。
なお、属性データの現在時刻は、携帯電話１０に内蔵された時計によって生成されるものであっても、メール管理センタ５０で後からペイロードに格納するものであってもよい。
【００４２】
メールサーバ５２は、メール要求を受け、ペイロードのメールアドレスに基づいてメールボックスを検索し、検索されたメールボックスに格納された送信メールを管理サーバ５１に送信する（ステップＳｂ９）。
【００４３】
管理サーバ５１は、携帯電話１０からのメール要求のペイロードに格納された属性データに基づいてメールフォルダの表示配列を決めるための表示配列データを要求すべく、表示配列要求を属性処理サーバ５４に対して行う（ステップＳｂ１０）。この際、表示配列要求のヘッダには、宛先として属性処理サーバ５４のＩＰアドレスと送信者として管理サーバ５１のＩＰアドレスが格納され、ペイロードには、携帯電話１０のメールアドレスと属性データが格納される。
【００４４】
属性処理サーバ５４では、表示配列要求を受け、ペイロードに格納された携帯電話１０のメールアドレスから、予め登録されたメールアドレスに対応したメールフォルダ毎の属性判定データを読出し、この各属性判定データとペイロードに格納された属性データとを比較し、表示配列データを生成する（ステップＳｂ１１）。
【００４５】
ここで、表示配列データの生成は、以下の順に行うものである。
▲１▼各メールフォルダ毎に設定された属性判定データと、属性データ（現在位置および現在時刻）とを比較し、まず位置と時間の両方を満足するメールフォルダを検索する（ａｎｄ検索）。
▲２▼検索した結果、両方を満足したメールフォルダを一番目にもってくる。複数のメールフォルダが検索された場合には、例えば文字コード順、或いは予め決められた優先順位順に並べる。
▲３▼次に、位置と時間の両方を満たしたメールフォルダ以外で、時間のみ、或いは位置のみを満足するメールフォルダを検索する（ｏｒ検索）。
▲４▼検索した結果、何れか一方を満たしたメールフォルダをａｎｄ検索を満足したメールフォルダの次にもってくる。位置または時間のうち、何れか一方を満たしたメールフォルダが複数ある場合には、まず属性判定情報でｏｒ条件で設定されたメールフォルダを優先する。次に、メールフォルダ属性設定処理時に属性判定情報の何れかの情報のうち、優先情報として指定した場合には、この優先情報を満足したメールフォルダを優先する。その後に、ａｎｄ条件で設定された属性判定情報に対応したメールフォルダを並べる。それでも複数のメールフォルダがある場合には、▲２▼と同様にして表示配列を行う。
▲５▼何れの情報も満足しない場合には、これまでのメールフォルダの下に並べる。さらに、何れの情報も満たしていないメールフォルダが複数ある場合には、▲２▼と同様にして表示配列を行う。
【００４６】
この表示配列データの生成を具体的な表示配列変更に置き換えて説明すると、図１３および図１４のようになる。
まず、図１３は、属性情報のうち、時間情報が水曜日、12:00、位置情報が塩尻市広丘野村であった場合の具体例である。
属性処理サーバ５４は、各メールフォルダに対応した属性判定情報（図９参照）と属性情報とを比較する。そして、表示配列データは、前述した▲１▼〜▲５▼の手順で設定されるから、この場合には、仕事フォルダ２が両方の情報を満足し、仕事フォルダ１が時間情報を満足し、プライベートフォルダ１、２は何れの情報も満足していない。これにより、属性処理サーバ５４では、図１３に示すような順序にメールフォルダを表示配列するための表示配列データが生成されることになる。
【００４７】
一方、図１４は、属性情報のうち、時間情報が日曜日、20:00、位置情報が塩尻市広丘堅石であった場合の具体例である。
各メールフォルダに対応した属性判定情報と属性情報とを比較する。この場合には、プライベートフォルダ１、２が両方の情報を満足したものの、情報の関係（ａｎｄ条件、ｏｒ条件）から、プライベートフォルダ２、プライベートフォルダ１の順となり、仕事フォルダ１、２は何れの情報も満足していない。これにより、属性処理サーバ５４では、図１４に示すような順序にメールフォルダを表示配列するための表示配列データが生成されることになる。
【００４８】
再び、図１０に戻って、属性処理サーバ５４は、このようにして生成された表示配列データを含む表示配列を管理サーバ５１に送信する（ステップＳｂ１２）。この際、表示配列のヘッダには、宛先として管理サーバ５１のＩＰアドレスと送信者として属性処理サーバ５４のＩＰアドレスが格納され、ペイロードには、携帯電話１０のメールアドレスと表示配列データが格納される。
【００４９】
管理サーバ５１では、メールサーバ５２から受信した送信メールと、属性処理サーバ５４から受信した表示配列とから携帯電話１０に送信する受信メールを作成し、この受信メールを携帯電話１０に送信する（ステップＳｂ１３）。
この受信メールは、図１２に示すようなデータフォーマットとなる。即ち、パケットのメールヘッダには、宛先（携帯電話１０）、送信者（メール管理センタ５０、携帯電話１０´）のメールアドレス、件名、送信日時、表示配列データが格納され、ペイロードにはメール本文が格納される
【００５０】
携帯電話１０のＣＰＵ１５は、受信メールを受けて、メールフォルダ表示配列処理を行う。
このメールフォルダ表示配列処理は、メールヘッダに格納された表示配列データに基づき、ＲＯＭ１７に記憶されたメールフォルダの表示配列を並べ替えるものである。
【００５１】
さらに、ＣＰＵ１５は、前述した如く、受信メールの送信者となる携帯電話１０´のメールアドレスを参照し、どのメールフォルダに対応しているかを判定し、対応したメールフォルダに格納する。
そして、携帯電話１０では、ユーザの状況（現在位置、現在時刻）に対応した優先順にフォルダが表示配列され、例えば図１３のように、ユーザが仕事中である場合には、仕事フォルダ１、仕事フォルダ２、プライベートフォルダ１、プライベートフォルダ２といった順にフォルダが表示配列される。この結果、表示部１４には、仕事関係のメール情報が優先的に表示されるため、ユーザは必要なメールを容易に検索することが可能となる。
【００５２】
［１・５］  第１実施形態の効果
本実施形態によるメール管理システムでは、ユーザが受信メールをメール管理センタ５０から読出す際に、ユーザの現在位置および現在時刻からユーザの属性（仕事、プライベート）を判定し、ユーザの属性に対応したメールフォルダの順にメール情報を表示することが可能となる。
これにより、携帯電話１０の表示部１４には、例えば、ユーザが仕事中である場合には、仕事フォルダ１或いは仕事フォルダ２に格納されたメールのメール情報が優先的に表示され、ユーザがプライベートである場合には、プライベートフォルダ１或いはプライベートフォルダ２に格納されたメールのメール情報が優先的に表示されることになる。これにより、ユーザは、煩わしい操作部１３の操作を行うことなく、ユーザの状況（現在位置、現在時刻）に応じてメールを容易に閲覧することが可能となる。
【００５３】
［１・６］  第１実施形態の変形例
この変形例の特徴は、携帯電話１０に自己の位置を測定する機能を持たせず、外部の位置情報サーバ５５によって位置データを測定させる点にある。
図１５は、本変形例によるシステムの動作処理を示すシーケンスチャートである。
【００５４】
まず、メールをメール管理センタ５０に送信する場合の処理（ステップＳｂ１〜Ｓｂ３）の処理については、前述した第１実施形態と同様であるので、その説明は省略するものとする。
【００５５】
メールをメール管理センタ５０から読出す場合の処理について述べる。
まず、携帯電話１０のユーザは、メール管理センタ５０からメールの配信を要求するために、接続要求を行う（ステップＳｃ１）。この際、ＣＰＵ１５は、ユーザが携帯電話１０の操作部１３のメールボタン１３Ａを押圧することにより接続要求をメール管理センタ５０に対して行う。接続要求はパケット形式の信号であるため、ヘッダには宛先としてメール管理センタ５０或いは管理サーバ５１のＩＰアドレスおよび送信者として携帯電話１０のメールアドレスが格納される。
【００５６】
管理サーバ５１は、携帯電話１０からの接続要求を受け、この携帯電話１０に対して接続応答を送信し、携帯電話１０とメール管理センタ５０との間に回線が確立される（ステップＳｃ２）。
【００５７】
携帯電話１０のＣＰＵ１５は、メール要求をメール管理センタ５０に向けて送信する（ステップＳｃ３）。このメール要求のヘッダには、宛先として管理サーバ５１のＩＰアドレスおよび送信者として携帯電話１０のメールアドレスが格納される。
【００５８】
管理サーバ５１は、メール要求を受け、このメール要求には位置データが格納されていないため、位置情報サーバ５５に対して位置データ要求を行う（ステップＳｃ４）。この際、位置データ要求のヘッダには、宛先として位置情報サーバ５５のＩＰアドレス、送信者として管理サーバ５１のＩＰアドレスが格納され、ペイロードには携帯電話１０の自己ＩＤが格納される。
位置情報サーバ５５では、位置データ要求の携帯電話１０の自己ＩＤを受けて、この携帯電話１０がどの基地局のエリアにあるかによって携帯電話１０の現在位置を特定し（ステップＳｃ５）、この位置データを管理サーバ５１に送信する（ステップＳｃ６）。
これ以降の処理は、前述した第１実施形態と同様であるのでその説明は省略する。
【００５９】
この変形例のように、携帯電話１０の位置測定を外部の位置情報サーバ５５で行った場合であっても、ユーザの状況（現在位置、現在時刻）に応じて、ユーザが携帯する携帯電話１０の表示部１４に表示されるメールフォルダの表示配列を変えることが可能となる。
【００６０】
［２］  第２実施形態
本実施形態の特徴は、携帯電話に自己の位置を測定する機能を持たせ、携帯電話の記憶エリアに格納された処理プログラムによって属性情報による判定を行うようにした点にある。このため、携帯電話１０には、図３に示すように、ＧＰＳ信号受信部２０が備えられている。
なお、本実施形態では、前述した第１実施形態と同一の構成要素に同一の符号を付し、その説明を省略するものとする。
図１６および図１７に基づき、本実施形態による携帯電話１０について説明するに、図１６はメールフォルダ属性設定処理のフローチャート、図１７はメールフォルダ表示配列処理のフローチャートをそれぞれ示したものである。
これらの処理プログラムについても、ＲＯＭ１７に格納されているものとする。
【００６１】
まず、図１６を参照しつつメールフォルダ属性設定処理について説明する。
ユーザの携帯電話１０には、前述した如く、配信されたメールをカテゴリ毎に分けて格納するメールフォルダ（例えば、仕事フォルダ１、仕事フォルダ２、プライベートフォルダ１、プライベートフォルダ２）が作成されている。
ユーザが操作部１３を予め決められた所定動作させることにより、ＣＰＵ１５は処理プログラムに準じて、図８に示すような設定画面を表示部１４に表示する（ステップＳｄ１）。
【００６２】
ユーザが設定画面に沿って操作部１３を操作することにより、ＣＰＵ１５は予め作成されたメールフォルダを選択する（ステップＳｄ２）。さらに、ユーザが設定画面の指定位置、指定位置からの半径の距離、指定時間、指定曜日、指定条件を順次操作部１３によって設定することにより、ＣＰＵ１５はこの情報を読込み（ステップＳｄ３）、これらの情報を属性判定データとして生成し、メールフォルダに対応した属性判定データをＲＡＭ１６に記憶する（ステップＳｄ４）。
１つのメールフォルダに対応した情報が入力されると、ＣＰＵ１５は表示部１４に次のメールフォルダに対応した属性判定情報を入力するか否かの画面を表示し、ユーザに判断を委ねる（ステップＳｄ５）。
【００６３】
他にも属性判定情報を設定するメールフォルダが残っている場合には（ステップＳｄ５；ＮＯ）、ステップＳｄ２に戻り、他のメールフォルダを選択し、ステップＳｄ２〜ステップＳｄ５の処理を繰り返し、他のメールフォルダに対応した属性判定データをＲＡＭ１６に記憶する。
そして、メールフォルダに対する属性判定情報が設定された場合には（ステップＳｄ５；ＹＥＳ）、この処理を終了する。
【００６４】
次に、図１７を参照しつつメールフォルダ表示配列処理について説明する。
この処理は、所定時間（例えば、３０分）毎に行われるものである。
まず、携帯電話１０の電源がオン状態となると、ＣＰＵ１５は、前述した如く、ＧＰＳ信号受信部２０によって携帯電話１０の現在位置を取得すると共に、携帯電話１０に内蔵した時計から現在時刻を取得する（ステップＳｅ１）。
次に、ＣＰＵ１５は、取得した現在位置および現在時刻から属性情報に対応した属性データを生成する（ステップＳｅ２）。
【００６５】
ＣＰＵ１５は、ＲＡＭ１６に記憶されたメールフォルダ毎の属性判定データと、生成された属性データとを比較し表示配列データを生成する（ステップＳｅ３）。この際の処理は、第１実施形態で述べた如くであり、両方の情報を満足するか、何れか一方の情報のみを満足するか、何れの情報も満足しないかによって表示配列データを生成する。
さらに、ＣＰＵ１５は、この表示配列データに基づいてメールフォルダの表示配列を変更する（ステップＳｅ４）。
ＣＰＵ１５は、所定時間（例えば、３０分）経過するまで待機し、経過した後に（ステップＳｅ５）、ステップＳｅ１以降の処理を繰り返す。
このように、このメールフォルダ表示配列処理は、携帯電話１０がオン状態である間、定期的に繰り返されるものである。
【００６６】
本実施形態による携帯電話１０では、第１実施形態のように、メール管理センタ５０へのメール要求を行うことなしに、定期的に検出するユーザの現在位置、現在時刻からユーザの属性（仕事、プライベート）を判定し、ユーザの属性に対応したメールフォルダの表示配列変更を、携帯電話１０のみで実現することが可能となる。
これにより、携帯電話１０の表示部１４には、例えば、ユーザが仕事中である場合には、仕事フォルダ１或いは仕事フォルダ２に格納されたメールのメール情報が優先的に表示され、ユーザがプライベートである場合には、プライベートフォルダ１或いはプライベートフォルダ２に格納されたメールのメール情報が優先的に表示されることになる。この結果、ユーザは、煩わしい操作部１３の操作を行うことなく、ユーザの状況（現在位置、現在時刻）に応じてメールを容易に閲覧することが可能となる。
【００６７】
［３］  第３実施形態
本実施形態の特徴は、メール管理センタの管理サーバをＷｅｂサーバとした点にある。これにより、本実施形態によるメール管理システムは、メールデータを携帯電話１０に記憶せずに、メール管理センタのメールＤＢに記憶し、ユーザが必要なメールのデータのみを携帯電話１０で受信させて表示部に表示させるものである。
なお、本実施形態では、前述した第１実施形態と同一の構成要素に同一の符号を付し、その説明を省略するものとする。
【００６８】
［３・１］  携帯電話１０の構成
本実施形態による携帯電話１０は、前述した第１実施形態の携帯電話１０とほぼ同様に構成されるものの、ＲＡＭ１６にユーザが予め設定したメールフォルダおよびこのメールフォルダに格納したメールを記憶しない点で異なっている。
【００６９】
［３・２］  メール管理センタ５０の構成
メール管理センタ５０は、前述した第１実施形態のメール管理センタ５０とほぼ同様に構成されるものの、メールサーバ５２には、宛先メールアドレス毎にメールフォルダが形成され、このメールフォルダ毎に送信メール（例えば、送信者のメールアドレス、件名、送信時間、メール本文）が格納されることになる。
ここで、メールサーバ５２は、メール要求を受信した場合に、宛先メールアドレスに該当するメールフォルダのメール情報（送信者のメールアドレス、件名、送信時間等）のみを管理サーバ５１に送信する。
このため、前述した図７に示したメールフォルダ属性設定処理を携帯電話１０で行い、メールフォルダに対応した属性判定データをメール管理センタ５０に送信する（ステップＳａ６）。
そして、メール管理センタ５０は、このメールフォルダに対応した属性判定データを属性処理サーバ５４の記憶部に記憶させると共に、各メールフォルダを携帯電話１０のメールアドレスに対応させてメールサーバ５２のメールＤＢ５３に記憶させる。
【００７０】
［３・３］  メール管理システムの動作
次に、図１８に基づき、メール管理システムの動作について説明する。
予め、他の携帯電話等からメールサーバ５２のメールＤＢ５３には、各宛先メールアドレスのメールフォルダ毎に送信メールが分配格納されているものとする。
【００７１】
ユーザが自分宛に送信された送信メールを読もうとする場合、携帯電話１０のユーザは、メール管理センタ５０に対してメールの配信を要求するために、接続要求を行う（ステップＳｆ１）。この際、ＣＰＵ１５は、ユーザが携帯電話１０の操作部１３のメールボタン１３Ａを押圧することにより、接続要求を送受信部１９およびネットワーク１００を介してメール管理センタ５０に行う。接続要求はパケット形式の信号であるため、ヘッダには宛先としてメール管理センタ５０或いは管理サーバ５１のＩＰアドレスおよび送信者として携帯電話１０のメールアドレスが格納される。
【００７２】
管理サーバ５１は、携帯電話１０からの接続要求を受け、この携帯電話１０に対して接続応答を送信し、携帯電話１０とメール管理センタ５０との間に回線が確立される（ステップＳｆ２）。
送信される接続応答のペイロードには、ＧＰＳ信号受信部２０に対して携帯電話１０の現在位置を測定させる位置測定開始データが格納されている。
【００７３】
次に、携帯電話１０のＣＰＵ１５は、位置測定開始データを受け、ＧＰＳ信号受信部２０を動作させ、携帯電話１０の現在位置に対応した位置データを測定する（ステップＳｆ３）。
その後、携帯電話１０のＣＰＵ１５は、メール要求をメール管理センタ５０に向けて送信する（ステップＳｆ４）。このメール要求のヘッダには、宛先として管理サーバ５１のＩＰアドレスおよび送信者として携帯電話１０のメールアドレスが格納され、ペイロードには、現在位置および現在時刻からなる属性データが格納される。なお、この現在時刻は、携帯電話１０に内蔵された時計によって生成されるものである。
【００７４】
管理サーバ５１は、メール要求を受信し、メール情報要求をメールサーバ５２に送信する（ステップＳｆ５）。このメール情報要求のヘッダには、宛先としてメールサーバ５２のＩＰアドレスおよび送信者として管理サーバ５１のＩＰアドレスが格納され、ペイロードには、携帯電話１０のメールアドレスが格納される。
メール情報要求とは、メールサーバ５２に対して送信メールを要求するものではなく、メールフォルダ毎に格納されたメールのメール情報を要求するものである。
メールサーバ５２は、メール情報要求を受け、ペイロードのメールアドレスに基づき、このメールアドレスからメールフォルダおよび格納されたメールのメール情報を読出し、管理サーバ５１に送信する（ステップＳｆ６）。
【００７５】
管理サーバ５１は、携帯電話１０からのメール要求のペイロードに格納された属性データに基づいてメールフォルダの表示配列を決めるための表示配列データを要求すべく、表示配列要求を属性処理サーバ５４に送信する（ステップＳｆ７）。この際、表示配列要求のヘッダには、宛先として属性処理サーバ５４のＩＰアドレスと送信者として管理サーバ５１のＩＰアドレスが格納され、ペイロードには、携帯電話１０のメールアドレスと属性データが格納される。
【００７６】
属性処理サーバ５４では、表示配列要求の携帯電話１０のメールアドレスから、予め登録されたメールアドレスに対応したメールフォルダ毎の属性判定情報を読出し、この各属性判定情報とペイロードに格納された属性データとを比較し、表示配列データを生成する（ステップＳｆ８）。
【００７７】
ここで、表示配列データの生成は、第１実施形態で説明しているので、ここでは省略するものとする。
【００７８】
そして、属性処理サーバ５４は、表示配列データを含む表示配列を管理サーバ５１に送信する（ステップＳｆ９）。この際、表示配列のヘッダには、宛先として管理サーバ５１のＩＰアドレスと送信者として属性処理サーバ５４のＩＰアドレスが格納され、ペイロードには、携帯電話１０のメールアドレスと表示配列データが格納される。
【００７９】
管理サーバ５１では、受信した表示配列データから携帯電話１０に送信するメール情報を作成し、このメール情報を携帯電話１０に送信する（ステップＳｆ１０）。
このメール情報は、ヘッダには、宛先（携帯電話１０）、送信者（メール管理センタ５０のメールアドレス）、表示配列データが格納され、ペイロードには携帯電話１０´のメールアドレス、件名、送信日時等のメール情報が格納される
【００８０】
携帯電話１０のＣＰＵ１５は、メール情報を受けて、メールフォルダの表示配列を行う。そして、このメールフォルダの表示配列に従ってメールフォルダに格納されたメール情報を、メールフォルダの表示配列順に表示する（ステップＳｆ１１）。
携帯電話１０の表示部１４には、ユーザの状況（現在位置、現在時刻）に合わせたメール情報が表示されているから、ユーザは簡単な操作によって、読みたいメールを見つけることができる。
【００８１】
さらに、ユーザが読みたいメールを指定した場合には、メール要求が管理サーバ５１に送信され（ステップＳｆ１２）、このメール要求がメールサーバ５２に送信される（ステップＳｆ１３）。この際、メール要求のヘッダには、宛先としてメールサーバ５２のＩＰアドレスおよび送信者として管理サーバ５１のＩＰアドレスが格納され、ペイロードには、携帯電話１０のメールアドレスとユーザが指定したメールのメール情報が格納される。
メールサーバ５２は、メール要求を受け、ペイロードのメールアドレスおよびメール情報に基づき、指定のメールを検索し、検索されたメールを管理サーバ５１に送信する（ステップＳｆ１４）。
【００８２】
管理サーバ５１は、受信したメールを携帯電話１０に送信する（ステップＳｆ１５）。このメールのヘッダには宛先として携帯電話１０のメールアドレスおよび送信者として管理サーバ５１のＩＰアドレスが格納され、ペイロードには、メールデータが格納される。
そして、携帯電話１０のＣＰＵ１５は、このメールを受けて、表示部１４にユーザの指定したメール本文を表示する。
【００８３】
［３・４］  第３実施形態の効果
このように構成されるメール管理システムにおいても、第１実施形態と同様に、ユーザが煩わしい操作を行うことなく、ユーザの状況（現在位置、現在時刻）に応じてメールを容易に閲覧することが可能となる、という効果を奏する。
さらに、メール自体を携帯電話１０に記憶しない分、第２実施形態に比べて、携帯電話１０のＲＡＭ１６の記憶容量を大きくする必要がなく、メールを記憶させるための記憶エリアの容量を少なくでき、その分他の機能を携帯電話に付加することが可能となる。
【００８４】
［３・５］  第３実施形態の変形例
前記第３実施形態では、メールサーバ５２のメールＤＢ５３に、各宛先メールアドレスに対応したメールボックスを形成し、このメールボックス毎に送信メールを格納するようにしたが、管理サーバ５１に宛先メールアドレス毎にメールフォルダを形成し、メールの送受信を行う際に、メールフォルダへの格納、読出しを行うようにしてもよい。
【００８５】
［４］  変形例
以上、本発明の実施形態の説明を行ったが、上記各実施形態はあくまでも本発明の一例であり、本発明の趣旨の範囲内で任意に変形を加えることができる。例えば以下のようなものが考えられる。
【００８６】
（１）  変形例１
前記各実施形態では、携帯電話１０に対してメール或いはメール情報を配信する場合について述べたが、携帯電話に限らず、ＰＤＡ等の移動情報端末であってもよい。
【００８７】
（２）  変形例２
前記各実施形態では、メールフォルダのカテゴリを仕事、プライベートとした場合について述べたが、カテゴリをさらに細かく分けてもよい。例えば、仕事フォルダを得意先のＡ社、Ｂ社…、或いは送信者としてもよい。
さらに、このＡ社、Ｂ社…、或いは送信者を、仕事フォルダの下の階層に形成するようにしてもよい。
【００８８】
（３）  変形例３
前記各実施形態では、メール管理センタ５０を管理サーバ５１、メールサーバ５２および属性処理サーバ５４によって構成した場合を例示したが、これに限らず、メール管理センタ５０をサーバとして、管理サーバ５１を制御部、サーバ５２、５４をデータベースとして構成してもよい。
【００８９】
（４）  変形例４
前記各実施形態では、各メールにファイル（図１１および図１２参照）を貼付させるようにしてもよい。
【００９０】
【発明の効果】
以上説明したように、本発明によれば、ユーザの状況（現在位置、現在時刻）に応じたメール表示を行い、移動体端末の操作性を向上させることができる。
【図面の簡単な説明】
【図１】  第１実施形態によるメール管理システムを示す概略図である。
【図２】  同実施形態に用いられる携帯電話を示す外形図である。
【図３】  同実施形態に用いられる携帯電話を示すブロック図である。
【図４】  メールフォルダの構成を示す図である。
【図５】  メールフォルダに対する送信者のメールアドレスを示す図である。
【図６】  メール管理センタの構成を示したメール管理システムの全体構成図である。
【図７】  メールフォルダ属性設定処理を示すフローチャートである。
【図８】  メールフォルダ属性設定画面を示す図である。
【図９】  メールフォルダに対する属性判定情報を示す図である。
【図１０】  同実施形態によるメール管理システムの動作を示すシーケンスチャートである。
【図１１】  メール管理センタで受信されるメールのデータフォーマットを示す図である。
【図１２】  メール管理センタから送信されるメールのデータフォーマットを示す図である。
【図１３】  一の属性情報によって並び替えられたメールフォルダを示す図である。
【図１４】  他の属性情報によって並び替えられたメールフォルダを示す図である。
【図１５】  第１実施形態の変形例によるメール管理システムの動作を示すシーケンスチャートである。
【図１６】  第２実施形態によるメールフォルダ属性設定処理を示すフローチャートである。
【図１７】  同実施形態によるメールフォルダ表示配列処理を示すフローチャートである。
【図１８】  第３実施形態によるメール管理システムの動作を示すシーケンスチャートである。
【符号の説明】
１０、１０´・・・携帯電話
１３・・・操作部
１４・・・表示部
１８・・・通話部
１９・・・送受信部
２０・・・ＧＰＳ信号受信部
５０・・・メール管理センタ
５１・・・管理サーバ
５２・・・メールサーバ
５３・・・属性処理サーバ
５５・・・位置情報サーバ
【図１】
0003832251.tif 000002
【図２】
0003832251.tif 000003
【図３】
0003832251.tif 000004
【図４】
0003832251.tif 000005
【図５】
0003832251.tif 000006
【図６】
0003832251.tif 000007
【図７】
0003832251.tif 000008
【図８】
0003832251.tif 000009
【図９】
0003832251.tif 000010
【図１０】
0003832251.tif 000011
【図１１】
0003832251.tif 000012
【図１２】
0003832251.tif 000013
【図１３】
0003832251.tif 000014
【図１４】
0003832251.tif 000015
【図１５】
0003832251.tif 000016
【図１６】
0003832251.tif 000017
【図１７】
0003832251.tif 000018
【図１８】
0003832251.tif 000019